(57)【要約】【課題】下端をシールした筒状の胴部２上端より下方への反転が可能な肩部３を介して口頸部４を起立するとともに、口頸部４上端の注出孔ａを閉塞して切り取り可能に除去蓋６を設け、且つ、肩部３の下方反転により形成される凹部１３内に口頸部４及び除去蓋６が収納可能な合成樹脂製のチューブ容器であって、胴部の径が小さくて小容量の被充填容器に対しての充填に便利な小容量の収納部を備え、使用前には肩部を反転させて倒立状態での保管が可能であり、しかも、肩部の反転を極めて簡単に行えるチューブ容器を提案する。【解決手段】胴部２の外径ｄ１  が４０〜６０ｍｍφであり、且つ肩部３に反転補助用の凹溝１４を形成した。【選択図】図１
2004299694.tif 000002
【特許請求の範囲】
【請求項１】
下端をシールした筒状の胴部２上端より下方への反転が可能な肩部３を介して口頸部４を立設するとともに、口頸部４上端の注出孔ａを閉塞して切り取り可能に除去蓋６を設け、且つ、上記肩部３の下方反転により形成される凹部１３内に上記口頸部４及び除去蓋６が収納可能な合成樹脂製のチューブ容器であって、上記胴部２の外径ｄ１  が４０〜６０ｍｍφであり且つ上記肩部３に反転補助用の凹溝１４を形成したことを特徴とするチューブ容器。
【請求項２】
上記反転補助用の凹溝が、上記肩部３の内面又は外面に環状に設けてなる請求項１記載のチューブ容器。
【請求項３】
上記反転補助用の凹溝１４が、上記肩部３の内面又は外面を縦断して複数設けてなる請求項１記載のチューブ容器。
【請求項４】
上記肩部３の厚みｄ２  が０．５〜２．０ｍｍである請求項１乃至請求項３のいずれかに記載のチューブ容器。
【請求項５】
上記口頸部４外周に、被充填容器１５の口部１６内周にそれぞれ外面を当接する縦リブ１１を周方向複数突設した請求項１乃至請求項５のいずれかに記載のチューブ容器。
【請求項６】
下端をシールした筒状の胴部２上端より下方への反転が可能な肩部３を介して口頸部４を立設するとともに、口頸部４上端の注出孔ａを閉塞して切り取り可能に除去蓋６を設け、且つ、上記肩部３の下方反転により形成される凹部１３内に上記口頸部４及び除去蓋６が収納可能な合成樹脂製のチューブ容器であって、上記胴部２の外径が４０〜６０ｍｍφであり且つ上記肩部３の厚みｄ２  が０．５〜２．０ｍｍであることを特徴とするチューブ容器。
【請求項７】
上記口頸部４外周に、被充填容器１５の口部１６内周にそれぞれ外面を当接する縦リブ１１を周方向複数突設した請求項６に記載のチューブ容器。
【発明の詳細な説明】
【０００１】
【発明の属する技術分野】
本発明はチューブ容器に関し、詳しくは、詰め替え用の収納物を充填させるためのチューブ容器に関する。
【０００２】
【従来の技術】
チューブ容器として下端部をシールした筒状の胴部から肩部を介して口頸部を起立した形態のものが一般に知られている。これらの容器は起立させることができないため、起立させるための種々の工夫がなされており、例えば、装着するキャップを容器体を倒立支持できる安定性のある大きなものとすることが行われている。
【０００３】
また、筒状の胴部の上端に上方凸に傾斜する肩部を経て口頸部が上方に突出して設けられ下端が熱溶着方法で偏平にシールされているチューブ容器に於いて、胴部から肩部へ移行するかど部が肩部を上方凹に反転状態に保持可能な屈曲性を有し、且つ口頸部が肩部の胴部内へ没入深さよりも低い高さとされ、内容物が充填された状態に於いて肩部を胴部内へ没入させてかど部を底部として倒立できるとともに、口頸部を引っ張って胴部から肩部を突出できる如く構成したものが提案されている（例えば，特許文献１参照）。
【０００４】
【特許文献１】
実用新案登録第２５７３９２７号公報（第１−３頁，図１）
【０００５】
【発明が解決しようとする課題】
上記前者の場合には容器を倒立することはできるが、キャップを不必要に大きくしなければならず、経済的な不都合も、また、廃棄の際にも余分な廃棄物となる欠点がある。また、後者の場合には、肩部を反転することにより容器を倒立させておくことができ、しかも、キャップを大きいものにする必要もなく、経済性にも優れ、また、廃棄の際の余分な廃棄物を生じる虞もない優れたものである。
【０００６】
本発明は上記した点に鑑みてなされたもので、胴部の径が小さくて小容量の被充填容器に対しての充填に便利な小容量の収納部を備えた詰め替え用のチューブ容器であり、使用前には肩部を反転させて倒立状態での保管が可能であり、しかも、肩部の反転を極めて簡単に行えるチューブ容器を提案するものである。
【０００７】
また、被充填容器への収納液の充填の際に、充分な空気の置換を行いつつしかも確実にしっかりと嵌合することが出来、円滑な液の充填を行えるチューブ容器を提案するものである。
【０００８】
【課題を解決するための手段】
本請求項１発明のチューブ容器は、上記課題を解決するため、下端をシールした筒状の胴部２上端より下方への反転が可能な肩部３を介して口頸部４を立設するとともに、口頸部４上端の注出孔ａを閉塞して切り取り可能に除去蓋６を設け、且つ、上記肩部３の下方反転により形成される凹部１３内に上記口頸部４及び除去蓋６が収納可能な合成樹脂製のチューブ容器であって、上記胴部２の外径ｄ１  が４０〜６０ｍｍφであり且つ上記肩部３に反転補助用の凹溝１４を形成したことを特徴とするチューブ容器として構成した。
【０００９】
また、請求項２発明のチューブ容器は、上記反転補助用の凹溝１４が、上記肩部３の内面又は外面に環状に設けてなる請求項１記載のチューブ容器として構成した。
【００１０】
また、請求項３発明のチューブ容器は、上記反転補助用の凹溝１４が、上記肩部３の内面又は外面を縦断して複数設けてなる請求項１記載のチューブ容器として構成した。
【００１１】
また、請求項４発明のチューブ容器は、上記肩部３の厚みｄ２  が０．５〜２．０ｍｍである請求項１乃至請求項３のいずれかに記載のチューブ容器として構成した。
【００１２】
また、請求項５発明のチューブ容器は、上記口頸部４外周に、被充填容器１５の口部１６内周にそれぞれ外面を当接する縦リブ１１を周方向複数突設した請求項１乃至請求項５のいずれかに記載のチューブ容器として構成した。
【００１３】
また、請求項６発明のチューブ容器は、下端をシールした筒状の胴部２上端より下方への反転が可能な肩部３を介して口頸部４を立設するとともに、口頸部４上端の注出孔ａを閉塞して切り取り可能に除去蓋６を設け、且つ、上記肩部３の下方反転により形成される凹部１３内に上記口頸部４及び除去蓋６が収納可能な合成樹脂製のチューブ容器であって、上記胴部２の外径が４０〜６０ｍｍφであり且つ上記肩部３の厚みｄ２  が０．５〜２．０ｍｍであることを特徴とするチューブ容器として構成した。
【００１４】
また、請求項７発明のチューブ容器は、上記口頸部４外周に、被充填容器１５の口部１６内周にそれぞれ外面を当接する縦リブ１１を周方向複数突設した請求項６記載のチューブ容器として構成した。
【００１５】
【発明の実施の形態】
以下、本発明の実施例の形態を図面を参照して説明する。
【００１６】
図面に示す如く本発明のチューブ容器１は、合成樹脂により一体に形成されたもので、筒状の胴部２上端より肩部３を介して口頸部４を立設するとともに、口頸部４の上端の注出孔ａを切り取り可能に閉塞する除去蓋６を設けている。胴部２の下端開口は液充填後シールするが、シールする際には従来のチューブ容器に於けるシール方法を採用でき、例えば、相対向する壁面を融着等の適宜固着手段によりシールすることができ、また、下端部を折り曲げて融着等の固着手段によりシールすることもできるが、これらに限られない。図示例は収納液を充填する前の状態を示し、従って下端部はシールされていない。
【００１７】
また、本発明において胴部２はその外径ｄ１  が従来反転が困難であった６０ｍｍφ以下のものを対象とする。但し、４０ｍｍφ未満のものは後述する反転補助用の凹溝の存在や特定の肉厚の存在があっても反転が極めて困難となり、従って、４０ｍｍφ〜６０ｍｍφの外径を有するものを対象とする。
【００１８】
上記肩部３は下方への反転が可能に上方へ突出したもので、図示例では、上方へ窄むテーパ状をなし、その下端部には二つの環状折曲部ｂ１  ，ｂ２  に挟まれた環状の反転基部９を形成しており、図３に示す如くこの部分より上方の肩部３が下方へ反転する如く構成している。この反転基部は必ずしも設けることはなく、反転が可能であれば良い。
【００１９】
上記口頸部４はその上端縁からはフランジ状の頂板１０を延設し、その中央部に上記注出孔ａを開口している。また、口頸部４外周に周方向複数の縦リブ１１を突設し、被充填容器の口部内に密に嵌合する如く構成している。口頸部４の外径は上記した胴部２の外径ｄ１  を考慮するとともに、詰め替えの対象とする被充填容器の口部の内径に合わせて選択すれば良く、例えば、１０ｍｍφ〜２０ｍｍφ程度のものが採用されるがこれに限られない。
【００２０】
除去蓋６は頂板１０の内周縁部に薄肉の破断部１２を介して連結した下端開口の筒状をなす閉塞筒部６ａと、該閉塞筒部６ａ上に延設した両側に突出する板状の摘み部６ｂとで構成している。
【００２１】
また、本発明のチューブ容器１は上記肩部３の下方反転により形成される凹部１３内に上記口頸部４及び除去蓋６を収納可能に構成している。従って、肩部３を反転した際には環状の当接面が現出し、容器を逆さまにして該当接面を机等の載置面に載置して倒立させることが可能に構成している。
【００２２】
本発明では上記肩部３に反転補助用の凹溝１４を形成している。この凹溝１４は肩部３内面に於いて、強度を損なうことなく、肩部３の反転をより容易に行う為に設けている。この凹溝１４の形態は種々採用でき、例えば、上記肩部３の内面又は外面に環状に設けたもの、或いは上記肩部３の内面又は外面を縦断して複数設けたもの等が挙げられるが、これらに限られない。
【００２３】
前者を具体的にいえば図１の実施例の如き上記肩部３内面に間隔をあけて環状の凹溝１４ａ  を複数設けてなるもの、或いは図示しないが、肩部３内面に一つの環状の凹溝設けてなるもの等があげられ、これらは図示例の如く水平環状形態のものに限らず傾斜したもの、段差のあるもの、或いは複数のものにあっては互いに交差したもの等種々の環状形態のものが採用できる。
【００２４】
また、後者の場合には図７の実施例の如く、肩部３内面に軸線に沿って周方向複数直線状の凹溝１４ｂ  を凹設したもの等が挙げられ、或いは図示しないが、肩部３を傾斜して縦断するもの、或いは肩部３を弯曲しながら縦断するもの、或いはこれらの複合等種々の縦断形態のものが採用できる。これらは口頸部を挟んで対称に設けたものがより良好な反転性に寄与し好ましい。
【００２５】
本実施例のチューブ容器１は、例えば図１の状態から肩部３を下方へ反転させて図２の状態の如く肩部３を下方へ反転させ、次いで、胴部２の下端開口から液を充填した後、胴部２下端を融着等の適宜固着手段によりシールする。従って、この肩部３が下方へ反転している状態では容器を倒立させておくことができる。また、使用時には、例えば、除去蓋６をもって肩部３を上方へ反転させた後、除去蓋６の摘み部６ｂを捩じる等して破断部１２を破断し、注出孔ａを開口する。次いで、図６に示す如く、被充填容器１５の口部１６内に口頸部４を嵌合させ、胴部２を圧搾する等して収納液を被充填容器１５に充填する。この際、口頸部４外周に設けた縦リブ１１の存在で、置換空気用の通気路を確保しつつ口部１６内に口頸部４をしっかりと嵌合させることができる。
【００２６】
図７は更に他の実施例を示すもので、本発明では、上記反転補助用の凹溝１４として、軸線に沿って周方向複数の直線状の凹溝１４ｂ  を凹設したものであり、図示例では等間隔に四本の凹溝１４ｂ  を設けているが、その本数は適宜選択することができる。
【００２７】
図９は更に他の実施例を示すもので、本発明では上記図１の実施例同様に胴部２，肩部３，口頸部４，除去蓋６を備え、その胴部２の外径が上記実施の形態と同様に４０〜６０ｍｍφのものを対象とし、また、上記肩部３の厚みｄ２  が０．５〜２．０ｍｍとしている。肩部３の厚みが０．５ｍｍ未満では肩部３自体の強度に劣り、１  ｍｍを越えると反転に必要以上の力を必要とする。更に、この厚みｄ２  が１．０〜１．５ｍｍのものが強度，反転性ともにより好ましい。尚、この肩部３の厚みの構成を図１の実施例の如き反転補助用の凹溝１４を備えたものに加えることにより更に良好な反転性を得られるものである。
【００２８】
尚、上記各実施例においてチューブ容器１は合成樹脂により一体に形成しているがこれに限られず複数の部分を分割形成して連結しても良く、例えば、胴部と肩部上方部分とを別々に形成して連結固定することも可能である。
【００２９】
【発明の効果】
以上説明した如く本発明チューブ容器は、既述構成としたことにより、従来反転が困難であった胴部の外径が６０ｍｍφ以下の反転容器を容易に反転が可能にすることができ、その結果、小容量の被充填容器に対する対応が容易となった。
【００３０】
また、上記口頸部４外周に、被充填容器１５の口部１６内周にそれぞれ外面を当接する縦リブ１１を周方向複数突設したものにあっては、収納液の詰め替えの際に被充填容器にチューブ容器をしっかりと固定できるとともに、各縦リブ１１間から置換空気を排出することができるため、より円滑な液の詰め替えを行えるものである。
【図面の簡単な説明】
【図１】本発明の一実施例を示し、下端部シール前の半断面図である。
【図２】同実施例の肩部を反転させた状態の要部半断面図である。
【図３】同実施例の平面図である。
【図４】同実施例の底面図である。
【図５】同実施例の側面図である。
【図６】同実施例の使用を説明する説明図である。
【図７】本発明の他の実施例を示す下端部シール前の要部半断面図である。
【図８】同実施例の底面図である。
【図９】本発明の更に他の実施例を示す下端部シール前の要部半断面図である。
【符号の説明】
２…胴部，３…肩部，４…口頸部，６…除去蓋，１１…縦リブ，１３…凹部，
１４…反転補助用の凹溝１４，１４ａ  …環状の凹溝，１４ｂ  …直線状の凹溝，
１５…被充填容器，１６…口部、ａ…注出口，ｄ１  …外径，ｄ２  …厚み
【図１】
2004299694.tif 000003
【図２】
2004299694.tif 000004
【図３】
2004299694.tif 000005
【図４】
2004299694.tif 000006
【図５】
2004299694.tif 000007
【図６】
2004299694.tif 000008
【図７】
2004299694.tif 000009
【図８】
2004299694.tif 000010
【図９】
2004299694.tif 000011